(57)【要約】  市町村の固形廃棄物減少プログラムの資金調達方法は、固形廃棄物を減少する目的で、既存の使い捨ての液体製品包装物を置き換える、密閉可能、詰替可能な液体製品包装物の実施による、市町村についての予測される将来の費用節約額の研究の実行を含む。研究後、人が使い捨ての液体製品包装物を密閉可能、詰替可能な液体製品包装物と置き換えることにより発生される節約額を共有する節約額関与権についての額を定める。節約額関与権の所有者は、市町村の固形廃棄物減少プログラムの結果としての固形廃棄物の減少からもたらされる実際に実現された市町村の節約額に基き、金銭価値を支払われる。【選択図】なし【特許請求の範囲】
【請求項１】
固形廃棄物を減少する目的で、既存の使い捨ての液体製品包装物を置き換える、密閉可能、詰替可能な液体製品包装物の実施による、市町村についての予測される将来の費用節約額の研究を実行するステップと、
前記使い捨ての液体製品包装物を前記密閉可能、詰替可能な液体製品包装物と置き換えることにより発生される節約額を共有する節約額関与権についての額を定め、前記定められた額に基き前記節約額関与権を投資家に売り出すステップと、
使い捨ての液体製品包装物により発生される固形廃棄物を減少するよう、前記密閉可能、詰替可能な、液体製品包装物を使用した液体製品を詰め替える詰替ステーションを提供するステップと、
前記市町村の固形廃棄物減少プログラムの結果としての固形廃棄物の減少からもたらされる実際に実現された市町村の節約額に基き、節約額関与権の所有者に金銭価値を支払うステップと、を含む、
市町村の固形廃棄物減少プログラムの資金調達方法。
【請求項２】
前記詰替ステーションが、小売場所内に設置される、
請求項１に記載の市町村の固形廃棄物減少プログラムの資金調達方法。
【請求項３】
前記節約額関与権を投資家に売り出す前に節約額関与権契約を準備するステップをさらに含み、前記節約額関与権契約は前記節約額関与権あたりの月々の分配を含む、
請求項１に記載の市町村の固形廃棄物減少プログラムの資金調達方法。
【請求項４】
前記節約額関与権を投資家に売り出す前に節約額関与権契約を準備するステップをさらに含み、前記節約額関与権契約は利用可能な前記節約額関与権の数を含む、
請求項１に記載の市町村の固形廃棄物減少プログラムの資金調達方法。
【請求項５】
複数の前記固形廃棄物減少プログラムによる複数の前記節約額関与権が、ともにまとめられ、節約額関与権ユニットとして売却される、
請求項１に記載の市町村の固形廃棄物減少プログラムの資金調達方法。
【請求項６】
前記予測される将来の費用節約額の研究が、原型詰替システムのデモンストレーションを含む、
請求項１に記載の市町村の固形廃棄物減少プログラムの資金調達方法。
【請求項７】
詰替ステーション、適合性がある詰替カートリッジ、適合性がある詰替ボトル、および中間バルク容器を含む小売準備が完了した詰替システムを開発するステップをさらに含む、
請求項６に記載の市町村の固形廃棄物減少プログラムの資金調達方法。
【請求項８】
前記固形廃棄物の発生の減少への小売準備が完了した前記詰替システムの影響を含む、そのような小売準備が完了した詰替システムの性能を評価する測定基準を規定するステップをさらに含む、
請求項７に記載の市町村の固形廃棄物減少プログラムの資金調達方法。
【請求項９】
市町村が、前記固形廃棄物減少プログラムからもたらされる将来の節約額における利益を保持する、
請求項１に記載の市町村の固形廃棄物減少プログラムの資金調達方法。
【請求項１０】
前記市町村が、前記市町村の固形廃棄物減少プログラムに基き、現在の価値で
節約額の将来の流列における利益を投資家に売却する、
請求項９に記載の市町村の固形廃棄物減少プログラムの資金調達方法。
【請求項１１】
前記市町村が、現在の市場価値で前記プログラムの期間に対応する将来の節約額におけるその保持された利益（ＭＲＳＳＰＲ）を売却する、
請求項１０に記載の市町村の固形廃棄物減少プログラムの資金調達方法。
【請求項１２】
前記市町村が、現在の市場価値で前記プログラムの期間後に対応する将来の節約額におけるその保持された利益（ＭＡＴＳＳＰＲ）を売却する、
請求項１０に記載の市町村の固形廃棄物減少プログラムの資金調達方法。
【発明の詳細な説明】
【技術分野】
【０００１】
使い捨ての包装廃棄物（箱、容器、包装材、紙、プラスチックなど）は、現在の埋立地を埋める廃物のおよそ３０％を占める。埋立処分の費用は上昇し続け、同時に利用可能な埋立地は減少している。市町村および地方自治体は、廃棄物管理に関連する増加した輸送、収集、および廃棄費用を支払っている。地域の施設は閉鎖され、廃棄物の輸送距離はより長くなり、関連する費用は上昇し続ける。
【背景技術】
【０００２】
最近のデータは、米国で発生する市町村の固形廃棄物は、１年あたりおよそ４３０，０００，０００トンであることを示す。このため米国の市町村は、それらの固形廃棄物の収集、処理および廃棄のためにおよそ＄１００／トン、すなわち１年あたりおよそ４３０億ドルを支払う。収集されたこの固形廃棄物のうち、包装廃棄物が総トン数のほぼ３分の１を示し、国中の埋立地に押し寄せている。さらにデータは、消費者向製品の詰替可能な容器がこの望まれない包装廃棄物のおよそ２０パーセントに影響しうることを示唆する。また、詰替可能な消費者包装物により影響されうる包装廃棄物のほぼ２０パーセントについては、この値は、密閉され詰替可能な消費者包装物を用いておよそ８０パーセントさらに減少しうる。例えば、１つの詰替可能な化粧品の容器は、使い捨ての容器を最高６０個置き換える（９８パーセント減少）ことが可能である。また、消費者向液体製品製造者（ＣＦＰＭ）の主要な上位２０社の消費者包装物が、消費者包装物のおよそ８０パーセントを占める。この廃棄物はまた、地域および地球環境に深刻な影響を有する。例えば、二酸化炭素排出は、固形廃棄物の削減１トンあたりおよそ２メートルトン減少される。
【０００３】
いくつかの新しい詰替可能な包装技術は、その中にＣＨＩ  Ｔｅｃｈｎｏｌｏｇｉｅｓ，Ｉｎｃ．，により提供されたＰＥＲＦＥＣＴＦＬＯＷ（登録商標）と呼ばれるシステムを含むが、一度きりの使用の使い捨ての消費者包装物をなくす再利用可能な容器を消費者に提供する。この技術を用いて、市町村は、固形廃棄物に関連する収集、処理および廃棄費用の減少を期待できる。市町村は何年にもわたりそのような廃棄物減少計画の成果を享受するであろうし、そのような計画によってより多くの埋立地を造り設置することの問題は軽減されるであろう。
【発明の概要】
【発明が解決しようとする課題】
【０００４】
しかし、詰替可能な液体容器を用いたこれらの廃棄物減少プログラムの実施は、市町村がプログラムの利点を享受する前に、資本の支出において何億ドルもかかりうる。一度プログラムが運用可能で十分に実行されれば、現在の推計に基く節約額は１年に最高９億ドルに達しうる。節約額が比較的短い時間枠で実現されるにもかかわらず、市町村は常にそのようなプログラムを実施するリソースを有さない。そのような市町村についての１つの選択肢は、そのような都市の改善に対する支払のため、公債を公衆に売り出すことである。しかし、いくつかの投資環境では、公債は多くの投資家に常に魅力的ではない。よって問題は、節約額が実現され始めるとシステムを実施させ、収入の流列として進めることができるように、固形廃棄物減少プログラムにいかに資金を調達するかとなる。本発明は、この問題に対処する。
【０００５】
ＣＦＰＭは、プラスチックチューブ、ジャー、瓶などのような、密閉された詰替可能でない包装物を主に使用する。詰替可能でない包装物が空になると、それは捨てられ、新しい製品が購入されてそれを置き換える。それぞれの個々の使い捨ての容器は、とりわけ製品の異物混入のリスクを軽減するため、気密密閉される。詰替可能な消費者包装物を使用するＣＦＰＭにとっては、詰替可能な消費者包装容器は、物質の交換が可能で、一方で密閉されなければならない。現在の困難な経済環境が、以下の３つの質問に答えを出すことなく、密閉された詰替可能な包装物を用いた詰替プログラムを導入する承認を、ＣＦＰＭブランドマネジャが受けることを難しくする。
１．彼らの顧客は、彼らの詰替プログラムに参加するか？
２．彼らの組織は、詰替可能な消費者包装物が必要とするサプライチェーンロジスティックスにおける変更を受け入れられるか？
３．ビジネス事例は存在するか？
【課題を解決するための手段】
【０００６】
連邦政府および市町村の財政上の制約に関する市町村の現在の追加資金の希望が、節約額の将来の流列の権利を売却する方向に彼らを促す。このケースでは、固形廃棄物の源の減少からくる節約額の将来の流列の分配である。本発明は、詰替可能な包装物がもたらす将来の節約額を分かち合う権利を提供することにより、投資機会を通して環境に優しい包装物の資金調達を可能にする解決法を対象とする。
【発明を実施するための形態】
【０００７】
本発明は、節約額関与権（ＳＰＲ）と呼ぶプログラムを用いて、市町村について節約額を生じる特定の活動に資金を調達する財政上の解決法を提供する。ＳＰＲは、特定の活動（この場合は固形廃棄物源を減少するための詰替可能な包装技術の使用）の結果として生じる特定の節約額の規定された分配の権利である。ＳＰＲ契約は、特定の活動、例えば固形廃棄物管理における源の減少により生じる節約額の規定された分配の権利をＳＰＲの購入者に与え、契約では、そのような節約額は独立した仲介者により文書化され、独立した仲介者にそのようなＳＰＲの売却からの第三者預託された資金により支払いをしてもよい。
【０００８】
例として示すと、そのようなＳＰＲの売却の結果として、カリフォルニア州ロサンゼルス市がＳＰＲの売却（ＳＰＲの共有）によって受け取った金額が、およそ＄５３０，０００と推計される。また、そのプロジェクトが成功すれば、ロサンゼルス市は、１５年の期間にわたり１年あたり最高＄７４７，０００（年間節約額の１２％）（暫定的な市町村の分配）、加えてその後１年あたり最高６００万ドル（年間節約額の１００％）（プログラム後の市町村の分配）、すなわちＳＰＲの売却についておよそ＄５３０，０００、加えてその後インフレーションおよび人口増加を除外して最高９００万ドル（年間節約額の１２％）、加えて１年あたり最高６００万ドル（節約額の１００％）を受け取る。
【０００９】
さらに、ロサンゼルス市は、ＳＰＲ契約に従ってそのようなＳＰＲを売却可能である。ＳＰＲ契約は、ＳＰＲによる月々の分配、ＳＰＲの数、ＳＰＲ毎の価格、節約額を文書化および報告する仲介者、そのような月々の節約額を計算する方法、そのような仲介者が月々の節約額を報告する期日、レポート毎、および報告および会計監査に必要な他の書類に支払われる書類作成料を含むが、それらに限定されない売却の契約条件を規定する。そのような節約額は独立して文書化され、そのような独立した文書化に対し、そのようなＳＰＲの売却に伴い取り置かれ、おそらく同時に第三者預託されたＳＰＲ資金により支払をしてもよい。
【００１０】
現在のプロジェクトは、（ａ）消費者が密閉された詰替可能な消費者包装物を使用する、（ｂ）消費者向製品製造者が、密閉された詰替可能な包装物を利益が出るように使用可能である、（ｃ）そのような製造者が、そのような包装物に付随する新しいロジスティックスを管理可能であることを示すものである。プロジェクトは、小売場所内のＣＦＰＭ特有の詰替ステーションの設置、およびそのような詰替ステーションで詰め替えられるＣＦＰＭ特有の密閉された詰替可能な消費者包装物の流通を含む。
【００１１】
そのようなプログラムを実施するため、一連のテストを提案および実行してもよい。テストは、以下の主要な管理点を含むことが可能である。
１．例えばプロジェクトの１５日目のような設定された日による原型詰替システム（詰替ステーション、詰替カートリッジおよび詰替ボトル）のデモンストレーション。そのような詰替ボトルは最低５０ｍｌであり、そのような詰替ステーションはそのような詰替ボトルを自動的に詰替可能である。
２．特定のＣＦＰＭに適切な小売準備が完了した詰替システム（詰替ステーション、適合性がある詰替カートリッジ、適合性がある詰替ボトル、倉庫詰替ステーションおよび詰替中間バルク容器（詰替ＩＢＣ））の開発。そのような詰替システムは、密閉され詰替可能である。詰替ステーションは詰替ボトルを詰め替え、詰替カートリッジは詰替ステーションを詰め替え、倉庫詰替ステーションは詰替カートリッジを詰め替え、詰替ＩＢＣは倉庫詰替ステーションを詰め替える。
３．固形廃棄物の管理への影響を含むが、それらに限定されないそのような詰替システムを評価する測定基準の詳述。
４．規定された測定基準に対する詰替システムの性能の測定。
５．報告書文書化の結果の配布。
６．詰替可能な包装物に付随する新しいロジスティックスを取り扱う案内書。
【００１２】
書類作成料、および引受およびマーケティング費用の支払の後、現在の数字を使用したプロジェクトが利用可能な資金の正味金額は、約２億９千万ドルである。このプログラムを用いて、市町村の固形廃棄物源減少プログラムに資金を供給するためＳＰＲを売却する実行可能性は満たしうる。
【００１３】
本発明の１つの望ましい実施形態で、種々のＳＰＲをまとめて、節約額関与権ユニット（ＳＰＲＵ）として一緒に売却される。市町村は、そのような一括売却から利点を得る傾向があり、投資家が最も魅力的な機会にいいとこ取りをするのを防ぎ、より魅力的でない機会を残す。種々のプロジェクトが総合計画のユニットとして売却可能な場合、より普遍的な投資ベースとともに、投資のより大きい多様性も得ることができる。
【００１４】
第１の例として、１０の予定されたプロジェクトがある場合、投資家に個々のプロジェクトの選択肢を提供するのではなく、１０のプロジェクト全体の利益性に基いた投資に対する利益を含むＳＰＲを提供可能である。第２の例として、特定のプログラムに関与している市町村が２７３ある場合、投資家に個々の市町村ＳＰＲの選択肢を提供するのではなく、その２７３の市町村のものになる固形廃棄物管理節約額の関与に基いた投資に対する利益を含むＳＰＲＵを提供可能である。これは、引受処理を単純化し、提供数を１０倍または２７３倍それぞれ減らす。これはまた、最も魅力的でない機会または市町村ＳＰＲでも、より魅力的な機会または市町村ＳＰＲと同一のレベルで資金供給または購入されることを確実にする。
【００１５】
市町村はまた、資金供給処理の一部として、予測される収益のその共有部分を売却可能である。将来の流列の節約額の現在の額を売却することにより、プログラムにより速く資金を供給でき、市町村は冒険的事業の不確実性を減少またはなくすことが可能である。ＳＰＲからの市町村期間節約額（”ＭＴＳＳＰＲ”）はオプションであり、市町村は、１５年の期間で特定のＳＰＲプログラムからの節約額の１２パーセント（１２％）の分配の権利を有する。期間の満了前に、市町村は節約額の流列におけるその権利を売却することを選択可能である。そのような市町村について任務を果たす引受業者は、将来の節約額の現在の価値に基き、投資家が許容できる価格でそのようなＭＲＳＳＰＲを投資家に売却する。収益は、その当事者が許容できる条件で投資家に渡され、引受業者費用より少ない。
【００１６】
本明細書の段落０００８で述べた例で示すと、プロジェクトが成功すれば、カリフォルニア州ロサンゼルス市は、１５年の期間にわたり１年あたり最高＄７４７，０００（年間節約額の１２％）（暫定的な市町村の分配）を受け取る。約２（２）年のプロジェクト開始期間の後、市町村は残りのＳＰＲ期間（１３年）についてのそのＭＴＳＳＰＲを、＄６，６００，０００、すなわち１３年についての＄７４７，０００を現在の価値から６％割り引いて投資家に売却可能である。
【００１７】
市町村は、満了前の将来の節約額の流列を売却する選択肢を有するだけでなく、予測される将来の節約額の現在の価値を用いて、投資家にプログラム後の節約額も売却することもまた可能である。このＳＰＲからの市町村期間後節約額（”ＭＡＴＳＳＰＲ”）は、期間後節約額の所有権の１００パーセントを含むことが可能であり、当事者が合意可能な限り年金として将来に延長する。市町村の代理として任務を果たす引受業者は、将来の節約額の現在の価値に等しく、引受業者費用より少ない価格でＭＡＴＳＳＰＲを投資家に売却する。
【００１８】
本明細書の段落０００８で述べた例で示すと、プロジェクトが成功すれば、カリフォルニア州ロサンゼルス市は、ＳＰＲの１５年の期間が満了すると、プロジェクトからの節約額に関して１年あたり最高６００万ドルを受け取る。市町村がこの１年あたり６００万ドルの収入の流列の次の３０（３０）年の売却を決定すると仮定すると、市町村はそのＭＡＴＳＳＰＲを、８２００万ドル、すなわち３０年についての６００万ドルを現在の価値から６％割り引いて投資家に売却可能である。
【００１９】
この方法で、市町村は、その市町村内の消費者向製品に関する詰替可能、再利用可能、密閉可能な液体容器および詰替システムの資金調達および実行の結果として、どちらでも、固形廃棄物の減少から生じる将来の節約額における利益を保持可能である。
【国際調査報告】
2016513847.tif 000002